(57)【要約】【課題】コンプレストギャップパターンのタイミングに基づく通信システムスループットの低下を回避する無線アクセスネットワーク及び無線通信方法を提供する。【解決手段】基準となるコンプレストギャップパターンによって受信不可能となるＨＳ−ＰＤＳＣＨのサブフレーム数と、基準となる前記コンプレストギャップパターンをシフトさせた場合にシフトさせた前記コンプレストギャップパターンによって受信不可能となるＨＳ−ＰＤＳＣＨのサブフレーム数とを比較し、前記コンプレストギャップパターンによって受信不可能となるＨＳ−ＰＤＳＣＨのサブフレーム数が最少となるシフト量で基準となる前記コンプレストギャップパターンを調整する。【選択図】図３
2007267263.tif 000002
【特許請求の範囲】
【請求項１】
基準となるコンプレストギャップパターンを設定する設定手段と、
基準となる前記コンプレストギャップパターンによって受信不可能となるＨＳ−ＰＤＳＣＨのサブフレーム数と、基準となる前記コンプレストギャップパターンをシフトさせた場合にシフトさせた前記コンプレストギャップパターンによって受信不可能となるＨＳ−ＰＤＳＣＨのサブフレーム数とを比較し、前記コンプレストギャップパターンによって受信不可能となるＨＳ−ＰＤＳＣＨのサブフレーム数が最少となるシフト量で基準となる前記コンプレストギャップパターンを調整する調整手段と、
を具備する無線アクセスネットワーク。
【請求項２】
前記調整手段は、下り回線及び上り回線にコンプレストモードを適用する場合、前記コンプレストギャップパターンによって受信不可能となるＨＳ−ＰＤＳＣＨのサブフレーム数を、下り回線のコンプレストギャップパターンによって受信不可能となるＨＳ−ＰＤＳＣＨのサブフレームと、ＨＳ−ＰＤＳＣＨサブフレームを下り回線で受信可能であり、かつ、上り回線のコンプレストギャップパターンによって対応するＡＣＫ信号又はＮＡＣＫ信号を送信不可能となるＨＳ−ＰＤＳＣＨサブフレーム数の和とする請求項１に記載の無線アクセスネットワーク。
【請求項３】
前記調整手段は、基準となる前記コンプレストギャップパターンをシフトさせた場合にシフトさせた前記コンプレストギャップパターンによって受信不可能となるＨＳ−ＰＤＳＣＨのサブフレーム数が最少となるシフト量が複数ある場合には、最も少ないシフト量で調整する請求項１又は請求項２に記載の無線アクセスネットワーク。
【請求項４】
前記調整手段は、前記シフト量が複数あり、かつ、最も少ないシフト量が複数ある場合、基準となる前記コンプレストギャップパターンを後方へ調整する請求項３に記載の無線アクセスネットワーク。
【請求項５】
前記調整手段は、通信相手である無線通信端末装置がコンプレストギャップ直後のＣＱＩ測定を行うＣＰＩＣＨの参照区間がＣＱＩ測定に必要な所要期間に対して不足する場合、コンプレストギャップの開始位置を前記不足分前方へシフトして調整する請求項１に記載の無線アクセスネットワーク。
【請求項６】
前記調整手段は、コンプレストギャップパターンが複数のコンプレストギャップからなる場合、前記複数のコンプレストギャップを同一方向かつ同一シフト量で調整する請求項１に記載の無線アクセスネットワーク。
【請求項７】
基準となるコンプレストギャップパターンによって受信不可能となるＨＳ−ＰＤＳＣＨのサブフレーム数と、基準となる前記コンプレストギャップパターンをシフトさせた場合にシフトさせた前記コンプレストギャップパターンによって受信不可能となるＨＳ−ＰＤＳＣＨのサブフレーム数とを比較し、前記コンプレストギャップパターンによって受信不可能となるＨＳ−ＰＤＳＣＨのサブフレーム数が最少となるシフト量で基準となる前記コンプレストギャップパターンを調整する無線通信方法。
【発明の詳細な説明】
【技術分野】
【０００１】
本発明は、ＷＣＤＭＡ（Wideband Code Division Multiple Access）にＨＳＤＰＡ（High Speed Downlink Packet Access）を適用した無線アクセスネットワーク及び無線通信方法に関する。
【背景技術】
【０００２】
現在、移動体通信システムにおいては、無線アクセスネットワークと携帯端末装置との間のデータ転送速度を上げるために、ＷＣＤＭＡにＨＳＤＰＡを適用した技術が普及しつつある。特に、ＨＳＤＰＡでは、適応変調やＨ−ＡＲＱ（Hybrid Automatic Repeat reQuest）を適用する通信先携帯端末装置の高速選択、無線状況に応じた伝送パラメータの適応制御などを用いることにより、基地局から携帯端末装置へ下り回線のスループットの増大を実現している。
【０００３】
ＨＳＤＰＡにおいて使用される主なチャネルとしては、ＨＳ−ＳＣＣＨ（Shared Control Channel for HS-DSCH, HS-DSCH: High Speed Downlink Shared Channel）、ＨＳ−ＰＤＳＣＨ（High Speed Physical Downlink Shared Channel）及びＨＳ−ＤＰＣＣＨ(Dedicated Physical Control Channel for HS-DSCH)などが挙げられる。
【０００４】
ＨＳ−ＳＣＣＨは、３スロットからなるサブフレームで構成される下り制御チャネルであり、ＨＳ−ＰＤＳＣＨの変調方式、マルチコード数、トランスポートブロックサイズ等を示す制御情報がＨＳ−ＳＣＣＨを介して基地局から携帯端末装置へ伝送される。
【０００５】
ＨＳ−ＰＤＳＣＨは、３スロットからなるサブフレームで構成され、パケットデータを伝送するための下りのデータチャネルである。
【０００６】
ＨＳ−ＤＰＣＣＨは、３スロットからなるサブフレームで構成され、ＨＳ−ＰＤＳＣＨに関するフィードバック信号を送信する上り制御チャネルである。ＨＳ−ＤＰＣＣＨのサブフレームにおいて、第１スロットではＨ−ＡＲＱのＡＣＫ信号又はＮＡＣＫ信号が送信され、第２スロット及び第３スロットでは下り回線のＣＱＩ（Channel Quality Indicator）が送信される。
【０００７】
Ｈ−ＡＲＱのＡＣＫ信号又はＮＡＣＫ信号については、そのＨＳ−ＤＰＣＣＨに対応するＨＳ−ＰＤＳＣＨの復号結果に誤りがなくＯＫであればＡＣＫ信号が、誤りがありＮＧであればＮＡＣＫ信号が、ＨＳＤＰＡサービスを提供するセル（ＨＳＤＰＡサービングセル）基地局に伝送される。
【０００８】
また、ＣＱＩは品質参照区間（Reference Measurement Period）における下り回線の伝送品質に応じた番号で示され、各番号がその伝送品質において携帯端末装置が復調可能な変調方式と符号化率等の組合せを示している。
【０００９】
基地局は、このＣＱＩに基づいてスケジューリングを行ってＨＳ−ＰＤＳＣＨの送信先となる携帯端末装置を決定し、その携帯端末装置に対しＣＱＩに基づいた伝送レートでＨＳ−ＰＤＳＣＨのパケットデータを送信する。なお、これらの各チャネルの構成は、例えば非特許文献１及び非特許文献２に記載されている。
【００１０】
一方、ＷＣＤＭＡ／ＨＳＤＰＡのようなセルラ通信では、通信の品質を維持するために、ＷＣＤＭＡ同士又はＧＳＭ（Global System for Mobile Communication）方式との間において、異なる周波数のキャリアでハンドオーバーを行う必要がある。そのため、携帯端末装置は、通信中に他の周波数基地局から必要な信号レベルの測定、制御情報の受信を行わなければならない。
【００１１】
そこで、ＷＣＤＭＡ／ＨＳＤＰＡ無線アクセスネットワークは、コンプレストモードを設けて、基地局と携帯端末装置間の通信中に一定の間隔の時間を作り、この空いた時間を用いて、携帯端末装置が自局の属するセル及び隣接セルの基地局からの情報をモニタする。
【００１２】
このＷＣＤＭＡ／ＨＳＤＰＡ無線アクセスネットワークでは、個別物理チャネル（ＤＰＣＨ）のスロット単位で必要な長さのコンプレストギャップ及びコンプレストギャップパラメータを作成して、携帯端末装置へ通知してコンプレストモード通信を行う。
【非特許文献１】3GPP TS 25.211 V6.5.0 (3rdGeneration Partnership Project; Technical Specification Group Radio Access Network; Physical Channels and mapping of transport channels on to physical channels(FDD),(Release 6))
【非特許文献２】3GPP TS 25.214 V6.6.0 (3rdGeneration Partnership Project; Technical Specification Group Radio Access Network; Physical layer procedure(FDD),(Release 6))
【発明の開示】
【発明が解決しようとする課題】
【００１３】
しかしながら、ＨＳＤＰＡが起動された場合、ＨＳＤＰＡ付随個別チャネル（ＤＰＣＨ）に対応するコンプレストギャップパターンをそのまま使用するため、コンプレストギャップパターンとギャップパラメータ設定の際に、ＨＳＤＰＡ関連チャネルのタイミングが考慮されておらず、ＨＳ−ＰＤＳＣＨサブフレームを受信できなくなる可能性がある。また、コンプレストギャップ後、携帯端末装置から無線アクセスネットワークへ送信する最新のＣＱＩの送信遅延が発生しやすい。これらに起因して、通信システムスループットの低下を招くという問題がある。
【００１４】
本発明はかかる点に鑑みてなされたものであり、コンプレストギャップパターンのタイミングに基づく通信システムスループットの低下を回避する無線アクセスネットワーク及び無線通信方法を提供することを目的とする。
【課題を解決するための手段】
【００１５】
本発明の無線アクセスネットワークは、基準となるコンプレストギャップパターンを設定する設定手段と、基準となる前記コンプレストギャップパターンによって受信不可能となるＨＳ−ＰＤＳＣＨのサブフレーム数と、基準となる前記コンプレストギャップパターンをシフトさせた場合にシフトさせた前記コンプレストギャップパターンによって受信不可能となるＨＳ−ＰＤＳＣＨのサブフレーム数とを比較し、前記コンプレストギャップパターンによって受信不可能となるＨＳ−ＰＤＳＣＨのサブフレーム数が最少となるシフト量で基準となる前記コンプレストギャップパターンを調整する調整手段と、を具備する構成を採る。
【００１６】
本発明の無線通信方法は、基準となるコンプレストギャップパターンによって受信不可能となるＨＳ−ＰＤＳＣＨのサブフレーム数と、基準となる前記コンプレストギャップパターンをシフトさせた場合にシフトさせた前記コンプレストギャップパターンによって受信不可能となるＨＳ−ＰＤＳＣＨのサブフレーム数とを比較し、前記コンプレストギャップパターンによって受信不可能となるＨＳ−ＰＤＳＣＨのサブフレーム数が最少となるシフト量で基準となる前記コンプレストギャップパターンを調整するようにした。
【発明の効果】
【００１７】
本発明によれば、コンプレストギャップパターンのタイミングに基づく通信システムスループットの低下を回避することができる。
【発明を実施するための最良の形態】
【００１８】
以下、本発明の実施の形態について、図面を参照して詳細に説明する。
【００１９】
（実施の形態１）
図１は、本発明の実施の形態１に係る無線通信システム１００の構成を示すブロック図である。この図において、無線通信システム１００は、無線アクセスネットワーク１１０と携帯端末装置１２０とを備えている。無線アクセスネットワーク１１０は、ギャップパターン設定部１１１、ギャップパターン調整部１１２、ＣＭ（Compressed Mode）制御部１１３、送受信処理部１１４、及び、アンテナ１１５を備えている。また、携帯端末装置１２０は、ＣＭ制御部１２１、送受信処理部１２２、及び、アンテナ１２３を備えている。
【００２０】
まず、無線アクセスネットワーク１１０について説明する。ギャップパターン設定部１１１は、基準となるコンプレストギャップパターンを設定し、設定したコンプレストギャップパターンをギャップパターン調整部１１２に通知する。
【００２１】
ギャップパターン調整部１１２は、ギャップパターン設定部１１１から通知されたコンプレストギャップパターンをＨＳＤＰＡ関連のチャネルタイミングに合わせて調整し、調整したコンプレストギャップパターンをＣＭ制御部１１３に通知する。
【００２２】
ＣＭ制御部１１３は、ギャップパターン調整部１１２から通知されたコンプレストギャップパターンに従って、コンプレストモードを実現するように、送受信処理部１１４を制御する。
【００２３】
送受信処理部１１４は、送信信号にＤ／Ａ変換、アップコンバート等の所定の無線送信処理を行い、また、受信信号にダウンコンバート、Ａ／Ｄ変換等の所定の無線受信処理を行う。また、ＣＭ制御部１１３からの制御に従って、コンプレストモードを実現する。
【００２４】
なお、ここでは、ギャップパターン設定部１１１とギャップパターン調整部１１２とを別々に設けたが、これらの機能を統合して１つの機能部として実現してもよい。
【００２５】
次に、携帯端末装置１２０について説明する。ＣＭ制御部１２１は、所定のコンプレストギャップパターンに従って、コンプレストモードを実現するように、送受信処理部１２２を制御する。
【００２６】
送受信処理部１２２は、送信信号にＤ／Ａ変換、アップコンバート等の所定の無線送信処理を行い、また、受信信号にダウンコンバート、Ａ／Ｄ変換等の所定の無線受信処理を行う。また、ＣＭ制御部１２１からの制御に従って、コンプレストモードを実現する。
【００２７】
ここで、一般的なＷＣＤＭＡ／ＨＳＤＰＡにおけるコンプレストモードのタイミングチャートを図２に示す。この図では、ＣＰＩＣＨ（Common PIlot CHannel）１フレーム（１５スロット）間に５つのＨＳ−ＳＣＣＨサブフレームがあるものとする。また、ＣＰＩＣＨのフレーム先頭は、１番目のＨＳ−ＳＣＣＨサブフレーム（３スロット）先頭と重なる。
【００２８】
なお、ＨＳ−ＳＣＣＨのサブフレーム先頭とＤＰＣＨ（Dedicated Physical Channel）のスロット先頭とのオフセットは、０以上１スロット（２５６０チップ）未満である。また、ＤＬ−ＤＰＣＨ（Downlink DPCH）とＵＬ−ＤＰＣＨ（Uplink DPCH）とのフレームオフセット（スロットオフセット）は約１０２４チップである。
【００２９】
コンプレストギャップは、ＤＬ−ＤＰＣＨとＵＬ−ＤＰＣＨのスロット単位で設ける。Nfirstはギャップ開始のスロット番号であり、Nlastはギャップ末尾のスロット番号である。ちなみに、ギャップが２フレーム分に跨ることがあるので、Nlastは必ずしもNfirstより大きいとは限らない。
【００３０】
ＨＳ−ＳＣＣＨとＨＳ−ＰＤＳＣＨのサブフレームオフセットは２スロット（５１２０チップ）であり、ＨＳ−ＰＤＳＣＨのサブフレームｍを正しく受信するためには、関連のＨＳ−ＳＣＣＨサブフレームｍを先に正しく受信しなければならない。また、ＤＬコンプレストギャップと重なるために受信不可能となるＨＳ−ＰＤＳＣＨは、サブフレームｍとサブフレームｏとその間のサブフレームである。ここで、ＨＳ−ＰＤＳＣＨサブフレームのフレームｏが受信不可能なのは、関連するＨＳ−ＳＣＣＨサブフレームのフレームｏがＤＬコンプレストギャップによって受信不可能となるためである。
【００３１】
ＨＳ−ＰＤＳＣＨサブフレームを受信したら、約７．５スロット後の対応ＨＳ−ＤＰＣＣＨサブフレームのＨ−ＡＲＱ領域（１番目のスロット）でＡＣＫ／ＮＡＣＫを無線アクセスネットワークへ応答する（ＨＳ−ＰＤＳＣＨの復号結果に誤りがなくＯＫであればＡＣＫ信号が、誤りがありＮＧであればＮＡＣＫ信号が、ＨＳＤＰＡサービスを提供するセル（ＨＳＤＰＡサービングセル）基地局に伝送される）。
【００３２】
そして、ＨＳ−ＤＰＣＣＨサブフレームｎとサブフレームｏ−４とその間のサブフレームは、ＵＬコンプレストギャップと重なるため、それに対応する各ＨＳ−ＰＤＳＣＨサブフレームに関連するＡＣＫ／ＮＡＣＫ信号をサービングセルへ伝送できない。この部分のＨＳ−ＰＤＳＣＨサブフレームはＤＬ受信可能であるにもかかわらず、事実上受信不可能なサブフレームである。また、ＤＬコンプレストギャップと重なるため受信不可能なＨＳ−ＰＤＳＣＨサブフレームｍとサブフレームｏとその間のサブフレームに対応するＨＳ−ＤＰＣＣＨのＨ−ＡＲＱ領域は、ＵＬコンプレストギャップと重なる状況にもかかわらず、ＤＴＸで送信される。
【００３３】
ＨＳ−ＤＰＣＣＨサブフレームの第２スロット及び第３スロットでは、下り回線のＣＱＩが送信される。具体的には、ＨＳ−ＤＰＣＣＨサブフレーム先頭の直前の３スロット分が参照区間としてＣＰＩＣＨが測定され、ＣＱＩが算出されてサブフレームのＣＱＩ領域（第２及び第３スロット）でサービングセルへ伝送される。ＤＬコンプレストギャップによって、参照区間が３スロット未満となる場合、ＣＱＩが算出されず、対応するＨＳ−ＤＰＣＣＨサブフレームのＣＱＩ領域がＤＴＸで送信される。
【００３４】
図２に示すギャップパターンにおいて、ＤＬコンプレストギャップによって受信不可能なＨＳ−ＰＤＳＣＨサブフレームはフレームｍ〜フレームｏであり、ＵＬコンプレストギャップによって受信不可能なＨＳ−ＰＤＳＣＨサブフレームはＨＳ−ＤＰＣＣＨサブフレームｎ〜フレームｏ−４に対応するＨＳ−ＰＤＳＣＨサブフレームである。
【００３５】
ここで、コンプレストギャップパターン長ＴＧＰＬが７スロットであれば、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。
【００３６】
次に、図２とは異なる一般的なＷＣＤＭＡ／ＨＳＤＰＡにおけるコンプレストモードのタイミングチャートを図３に示す。図３では、ＤＬのみにコンプレストモードを適用するものとし、ＤＬコンプレストギャップがスロットｉ＋１からスロットｋ−１まで設けられる。なお、ＵＬについてはギャップなしの送受信を行うものとする。
【００３７】
図３によれば、ＤＬコンプレストギャップによって受信不可能なＨＳ−ＰＤＳＣＨサブフレームは、フレームｍ〜フレームｏとなる。ここで、コンプレストギャップパターン長ＴＧＰＬが６スロットであれば、ＤＬコンプレストギャップによって受信不可能なＨＳ−ＰＤＳＣＨサブフレーム数は４サブフレームとなる。
【００３８】
次に、図３に示したＤＬコンプレストギャップを図１に示したギャップパターン調整部１１２によって１スロット後方へシフトした状態を図４に示す。ＤＬコンプレレストギャップは、スロットｉ＋２からスロットｋまで設けられる。なお、ＵＬについてはギャップなしの送受信を行うものとする。
【００３９】
この調整によって、この調整前に受信不可能なＨＳ−ＰＤＳＣＨサブフレームのフレームｍが受信可能になる。ＨＳ−ＰＤＳＣＨサブフレームのフレームｍ＋１からフレームｏまでは、調整前と同様に受信不可能のままである。そして、上記調整後、ＤＬコンプレストギャップによって受信不可能なＨＳ−ＰＤＳＣＨサブフレームはフレームｍ＋１〜フレームｏとなる。ここで、コンプレストギャップパターン長ＴＧＰＬが６スロットであれば、ＤＬコンプレストギャップによって受信不可能なＨＳ−ＰＤＳＣＨサブフレーム数は３サブフレームとなり、調整後は調整前より、ＤＬコンプレストギャップによって、ＨＳ−ＰＤＳＣＨの受信不可能な部分が１サブフレームで少なくなる。
【００４０】
同様に、コンプレストギャップパターン長ＴＧＰＬが６スロットの場合、２スロット後方へシフトしたら、ＤＬコンプレストギャップによって受信不可能なＨＳ−ＰＤＳＣＨサブフレーム数は４サブフレームとなる。
【００４１】
また、３スロット後方へシフトしたら、ＤＬコンプレストギャップによって受信不可能なＨＳ−ＰＤＳＣＨサブフレーム数は４サブフレームとなる。
【００４２】
また、１スロット前方へシフトしたら、ＤＬコンプレストギャップによって受信不可能なＨＳ−ＰＤＳＣＨサブフレーム数は４サブフレームとなる。
【００４３】
また、２スロット前方へシフトしたら、ＤＬコンプレストギャップによって受信不可能なＨＳ−ＰＤＳＣＨサブフレーム数は３サブフレームとなる。
【００４４】
さらに、３スロット前方へシフトしたら、ＤＬコンプレストギャップによって受信不可能なＨＳ−ＰＤＳＣＨサブフレーム数は４サブフレームとなる。
【００４５】
ＨＳ−ＰＤＳＣＨサブフレームの周期は３スロットであるため、４スロット以上の前後調整の必要はない。
【００４６】
以上の調整結果によって、２スロット前方へのシフトと１スロット後方へのシフトによるＤＬコンプレストギャップによって、受信不可能なＨＳ−ＰＤＳＣＨサブフレーム数は同数であり、最小値３となる。ただし、１スロット後方へシフトした方が、調整量が少ないので、図２に示した基準となるコンプレストギャップを１スロット後方へシフトし、調整後のコンプレストギャップを正式なコンプレストギャップとして送受信を行う。
【００４７】
このように実施の形態１によれば、ＤＬコンプレストギャップのタイミングを調整することにより、ＤＬコンプレストギャップによって受信不可能なＨＳ−ＰＤＳＣＨサブフレーム数を最少とすることができ、通信システムスループットの低下を回避することができる。
【００４８】
（実施の形態２）
本発明の実施の形態２に係る無線通信システムの構成は、実施の形態１の図１に示した構成と同様であるので、図１を援用し、重複する説明は省略する。
【００４９】
一般的なＷＣＤＭＡ／ＨＳＤＰＡにおけるコンプレストモードのタイミングチャートを図５に示す。図５では、ＤＬ及びＵＬにコンプレストモードを適用するものとする。ただし、コンプレストギャップによって受信不可能なＨＳ−ＰＤＳＣＨのサブフレーム数は、ＤＬコンプレストギャップによって受信不可能なＨＳ−ＰＤＳＣＨのサブフレーム数と、ＨＳ−ＰＤＳＣＨをＤＬで受信可能であり、かつ、ＵＬコンプレストギャップによって対応するＡＣＫ／ＮＡＣＫ信号を送信不可能なＨＳ−ＰＤＳＣＨのサブフレーム数との和とする。
【００５０】
図５において、ＤＬコンプレストギャップはスロットｉ＋１からスロットｋ−１まで設けられ、ＵＬコンプレストギャップはスロットｊ＋１からスロットｌ−１まで設けられる。このＤＬコンプレストギャップによって受信不可能なＨＳ−ＰＤＳＣＨサブフレームはフレームｍ〜フレームｏであり、ＵＬコンプレストギャップによって受信不可能なＨＳ−ＰＤＳＣＨサブフレームは、ＨＳ−ＤＰＣＣＨサブフレームのフレームｎ〜フレームｏ−４に対応するＨＳ−ＰＤＳＣＨサブフレームである。
【００５１】
ここで、コンプレストギャップパターン長ＴＧＰＬが６スロットであれば、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は６サブフレーム（＝４＋２）となる。
【００５２】
次に、図１に示したギャップパターン調整部１１２によってギャップパターンを調整したコンプレストモードのタイミングチャートを図６に示す。図６では、図５に示したＤＬ及びＵＬコンプレストギャップを後方へ１スロットシフトした状態を示し、ＤＬコンプレストギャップがスロットｉ＋２からスロットｋまで設けられ、ＵＬコンプレストギャップはスロットｊ＋２からスロットｌまで設けられる。
【００５３】
図６によれば、ＤＬコンプレストギャップによって受信不可能なＨＳ−ＰＤＳＣＨサブフレームは、フレームｍ＋１〜フレームｏとなる。また、ＵＬコンプレストギャップによって受信不可能なＨＳ−ＰＤＳＣＨサブフレームは、ＨＳ−ＤＰＣＣＨサブフレームのフレームｎ＋１〜フレームｏ−４に対応するＨＳ−ＰＤＳＣＨサブフレームとなる。ここで、コンプレストギャップパターン長ＴＧＰＬが６スロットであれば、ＤＬコンプレストギャップによって受信不可能なＨＳ−ＰＤＳＣＨサブフレーム数は３サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は５サブフレーム（＝３＋２）となる。
【００５４】
この調整によって、ＤＬ及びＵＬコンプレストギャップによって受信不可能なＨＳ−ＰＤＳＣＨサブフレーム数は１サブフレーム少なくなる。
【００５５】
コンプレストギャップパターン長ＴＧＰＬが６スロットの場合、２スロット後方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。したがって、ＤＬ及びＵＬコンプレストギャップによって受信不可能なＨＳ−ＰＤＳＣＨサブフレーム数は７サブフレーム（＝４＋３）となる。
【００５６】
また、３スロット後方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は６サブフレーム（＝４＋２）となる。
【００５７】
また、１スロット前方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。したがって、ＤＬ及びＵＬコンプレストギャップによって受信不可能なＨＳ−ＰＤＳＣＨサブフレーム数は７サブフレーム（＝４＋３）となる。
【００５８】
また、２スロット前方へシフトしたら、ＤＬコンプレストギャップによって受信不可能なＨＳ−ＰＤＳＣＨサブフレーム数は３サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は５サブフレーム（＝３＋２）となる。
【００５９】
さらに、３スロット前方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は６サブフレーム（＝４＋２）となる。
【００６０】
ＨＳ−ＰＤＳＣＨ及びＨＳ−ＤＰＣＣＨサブフレームの周期は３スロットであるため、４スロット以上の前後調整の必要はない。
【００６１】
以上の調整結果によって、ギャップは２スロット前方へシフトした場合と１スロット後方へシフトした場合とでは、ＤＬ及びＵＬコンプレストギャップによって受信不可能なＨＳ−ＰＤＳＣＨサブフレーム数は同じであり、最小値５となる。ただし、１スロット後方へシフトした方が、調整量が少ないので、図４に示したオリジナルコンプレストギャップを１スロット後方へシフトし、調整後のコンプレストギャップを正式なコンプレストギャップとして送受信を行う。
【００６２】
このように実施の形態２によれば、ＤＬ及びＵＬにコンプレストモードを適用する場合においても、ＤＬ及びＵＬコンプレストギャップのタイミングを調整することにより、コンプレストギャップによって受信不可能なＨＳ−ＰＤＳＣＨサブフレーム数を最少とすることができ、通信システムスループットの低下を回避することができる。
【００６３】
（実施の形態３）
本発明の実施の形態３に係る無線通信システムの構成は、実施の形態１の図１に示した構成と同様であるので、図１を援用し、重複する説明は省略する。
【００６４】
一般的なＷＣＤＭＡ／ＨＳＤＰＡにおけるコンプレストモードのタイミングチャートを図７に示す。図７では、ＤＬのみにコンプレストモードを適用するものとする。ただし、コンプレストギャップを調整することにより、調整前に本来受信できたＨＳ−ＰＤＳＣＨサブフレームが受信不可能にならないことが前提である。この前提が成立しなければ、調整を中止して、調整前のコンプレストギャップをそのまま使うものとする。
【００６５】
図７において、ＤＬコンプレストギャップがスロットｉ＋１からスロットｋ−１まで設けられる。なお、ＵＬについてはギャップなしの送受信を行うものとする。
【００６６】
図７によれば、ＤＬコンプレストギャップによって受信不可能なＨＳ−ＰＤＳＣＨサブフレームは、フレームｍ〜フレームｏとなる。ここで、コンプレストギャップパターン長ＴＧＰＬが７スロットであれば、ＤＬコンプレストギャップによって受信不可能なＨＳ−ＰＤＳＣＨサブフレーム数は４サブフレームとなる。
【００６７】
ＤＬコンプレストギャップ後最初のＨＳ−ＤＰＣＣＨサブフレームは、サブフレーム先頭がＤＬコンプレストギャップと重ならない１番目のＨＳ−ＤＰＣＣＨである。図７では、ＤＬコンプレストギャップ後最初のＨＳ−ＤＰＣＣＨサブフレームはフレームｏ−３であり、このサブフレームのＣＱＩ領域に対応するＣＰＩＣＨ参照区間が所要期間３スロット未満なので、ＤＴＸを送信する。
【００６８】
図７に示したＤＬコンプレストギャップを１スロット前方へシフトした状態を図８に示す。ＤＬコンプレレストギャップは、スロットｉからスロットｋ−２まで設けられる。なお、ＵＬについてはギャップなしの送受信を行うものとする。
【００６９】
この調整によっても、この調整前に受信不可能なＨＳ−ＰＤＳＣＨサブフレームのフレームｍは受信不可能なままであり、調整の前提は成立する。そして、上記調整後、ＤＬコンプレストギャップによって受信不可能なＨＳ−ＰＤＳＣＨサブフレームはフレームｍ〜フレームｏとなり、調整前と同じであるが、ＨＳ−ＤＰＣＣＨサブフレーム（フレームｏ−３）のＣＱＩ領域に対応するＣＰＩＣＨ参照区間が所要期間３スロットとなるので、携帯端末装置がギャップ後のＣＱＩをＨＳ−ＤＰＣＣＨサブフレームで無線アクセスネットワークへ早く送信することができ、これによりシステム全体のスループットを向上させることができる。ちなみに、調整前と同等なＨＳ−ＰＤＳＣＨ受信の能力を前提として、ギャップ後の３スロット分のＣＱＩを基地局へ伝える。
【００７０】
このように実施の形態３によれば、ＤＬコンプレストギャップのタイミングを調整することにより、ギャップ直後のＣＱＩ参照区間であるＣＰＩＣＨを所要期間確保することができ、ＤＬコンプレストギャップ後、速やかにＣＱＩを無線アクセスネットワークへ報告することができるので、通信システムスループットの低下を回避することができる。
【００７１】
（実施の形態４）
本発明の実施の形態４に係る無線通信システムの構成は、実施の形態１の図１に示した構成と同様であるので、図１を援用し、重複する説明は省略する。
【００７２】
一般的なＷＣＤＭＡ／ＨＳＤＰＡにおけるコンプレストモードのタイミングチャートを図９に示す。図９では、ＤＬ及びＵＬにコンプレストモードを適用するものとする。ただし、コンプレストギャップを調整することにより、調整前の本来受信できたＨＳ−ＰＤＳＣＨサブフレームがＤＬコンプレストギャップの移動によって受信不可能にならないことと、ＨＳ−ＰＤＳＣＨサブフレームをＤＬで受信可能であり、かつ、ＵＬコンプレストギャップによって対応するＡＣＫ／ＮＡＣＫ信号を送信不可能なＨＳ−ＰＤＳＣＨのサブフレーム数が増えないことである。この前提が成立しなければ、調整を中止して、調整前のコンプレストギャップをそのまま使うものとする。
【００７３】
図９において、ＤＬコンプレストギャップはスロットｉ＋１からスロットｋ−１まで設けられ、ＵＬコンプレストギャップはスロットｊ＋１からスロットｌ−１まで設けられる。このＤＬコンプレストギャップによって受信不可能なＨＳ−ＰＤＳＣＨサブフレームはフレームｍ〜フレームｏであり、ＵＬコンプレストギャップによって受信不可能なＨＳ−ＰＤＳＣＨサブフレームは、ＨＳ−ＤＰＣＣＨサブフレームのフレームｎ〜フレームｏ−４に対応するＨＳ−ＰＤＳＣＨサブフレームである。
【００７４】
ここで、コンプレストギャップパターン長ＴＧＰＬが７スロットであれば、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。したがって、ＤＬ及びＵＬコンプレストギャップによって受信不可能なＨＳ−ＰＤＳＣＨサブフレーム数は７サブフレーム（＝４＋３）となる。
【００７５】
ＤＬコンプレストギャップ後最初のＨＳ−ＤＰＣＣＨサブフレームは、サブフレーム先頭がＤＬコンプレストギャップと重ならない１番目のＨＳ−ＤＰＣＣＨである。図９では、ＤＬコンプレストギャップ後最初のＨＳ−ＤＰＣＣＨサブフレームはフレームｏ−３であり、このサブフレームのＣＱＩ領域に対応するＣＰＩＣＨ参照区間が所要期間３スロット未満なので、ＤＴＸを送信する。
【００７６】
図９に示したＤＬコンプレストギャップを１スロット前方へシフトした状態を図１０に示す。ＤＬコンプレレストギャップは、スロットｉからスロットｋ−２まで設けられ、ＵＬコンプレレストギャップは、スロットｊからスロットｌ−２まで設けられる。
【００７７】
この調整によっても、この調整前に受信不可能なＨＳ−ＰＤＳＣＨサブフレームのフレームｍは受信不可能なままであり、ＨＳ−ＰＤＳＣＨサブフレームをＤＬで受信でき、かつ、ＵＬコンプレストギャップによって対応するＡＣＫ／ＮＡＣＫ信号を送信不可能なＨＳ−ＰＤＳＣＨのサブフレームがＨＳ−ＤＰＣＣＨサブフレームのフレームｎ〜フレームｏ−４に対応するＨＳ−ＰＤＳＣＨサブフレームであり、調整前と同じであるために、調整の前提が成立する。
【００７８】
そして、上記調整後、ＤＬ及びＵＬコンプレストギャップによって受信不可能なＨＳ−ＰＤＳＣＨサブフレーム数は調整前と同じである。ただし、調整後においては、ＨＳ−ＤＰＣＣＨサブフレーム（フレームｏ−３）のＣＱＩ領域に対応するＣＰＩＣＨ参照区間が所要期間３スロットとなるので、携帯端末装置がギャップ後のＣＱＩをＨＳ−ＤＰＣＣＨサブフレームで無線アクセスネットワークへ早く送信することができる。システム全体のスループットを向上させることができる。ちなみに、調整前と同等なＨＳ−ＰＤＳＣＨ受信の能力を前提として、ギャップ後の３スロット分のＣＱＩを基地局へ伝える。
【００７９】
このように実施の形態４によれば、ＤＬ及びＵＬコンプレストモードを適用する場合でも、ＤＬ及びＵＬコンプレストギャップのタイミングを調整することにより、ギャップ直後のＣＱＩ参照区間であるＣＰＩＣＨを所要期間確保することができ、ＤＬコンプレストギャップ後、速やかにＣＱＩを無線アクセスネットワークへ報告することができるので、通信システムスループットの低下を回避することができる。
【００８０】
（実施の形態５）
本発明の実施の形態５に係る無線通信システムの構成は、実施の形態１の図１に示した構成と同様であるので、図１を援用し、重複する説明は省略する。
【００８１】
一般的なＷＣＤＭＡ／ＨＳＤＰＡにおけるコンプレストモードのタイミングチャートを図１１に示す。図１１では、ＤＬのみにコンプレストモードを適用するものとし、ＤＬコンプレストギャップがスロットｉからスロットｋ−２まで設けられる。なお、ＵＬについてはギャップなしの送受信を行うものとする。
【００８２】
図１１によれば、ＤＬコンプレストギャップによって受信不可能なＨＳ−ＰＤＳＣＨサブフレームは、フレームｍ〜フレームｏとなる。ここで、コンプレストギャップパターン長ＴＧＰＬが６スロットであれば、ＤＬコンプレストギャップによって受信不可能なＨＳ−ＰＤＳＣＨサブフレーム数は４サブフレームとなる。
【００８３】
次に、図１１に示したＤＬコンプレストギャップを図１に示したギャップパターン調整部１１２によって２スロット後方へシフトした状態を図１２に示す。ＤＬコンプレストギャップはスロットｉ＋２からスロットｋまで設けられる。なお、ＵＬについてはギャップなしの送受信を行うものとする。
【００８４】
この調整によって、この調整前に受信不可能なＨＳ−ＰＤＳＣＨサブフレームのフレームｍが受信可能になる。ＨＳ−ＰＤＳＣＨサブフレームのフレームｍ＋１からフレームｏまでは、調整前と同様に受信不可能のままである。そして、上記調整後、ＤＬコンプレストギャップによって受信不可能なＨＳ−ＰＤＳＣＨサブフレームはフレームｍ＋１〜フレームｏとなる。ここで、コンプレストギャップパターン長ＴＧＰＬが６スロットであれば、ＤＬコンプレストギャップによって受信不可能なＨＳ−ＰＤＳＣＨサブフレーム数は３サブフレームとなり、調整後は調整前より、ＤＬコンプレストギャップによって、ＨＳ−ＰＤＳＣＨの受信不可能な部分が１サブフレームで少なくなる。
【００８５】
同様に、コンプレストギャップパターン長ＴＧＰＬが６スロットの場合、１スロット後方へシフトしたら、ＤＬコンプレストギャップによって受信不可能なＨＳ−ＰＤＳＣＨサブフレーム数は４サブフレームとなる。
【００８６】
また、３スロット後方へシフトしたら、ＤＬコンプレストギャップによって受信不可能なＨＳ−ＰＤＳＣＨサブフレーム数は４サブフレームとなる。
【００８７】
また、１スロット前方へシフトしたら、ＤＬコンプレストギャップによって受信不可能なＨＳ−ＰＤＳＣＨサブフレーム数は３サブフレームとなる。
【００８８】
また、２スロット前方へシフトしたら、ＤＬコンプレストギャップによって受信不可能なＨＳ−ＰＤＳＣＨサブフレーム数は４サブフレームとなる。
【００８９】
さらに、３スロット前方へシフトしたら、ＤＬコンプレストギャップによって受信不可能なＨＳ−ＰＤＳＣＨサブフレーム数は４サブフレームとなる。
【００９０】
ＨＳ−ＰＤＳＣＨサブフレームの周期は３スロットであるため、４スロット以上の前後調整の必要はない。
【００９１】
以上の調整結果によって、２スロット後方へのシフトと１スロット前方へのシフトによるＤＬコンプレストギャップによって、受信不可能なＨＳ−ＰＤＳＣＨサブフレーム数は同数であり、最小値３となる。ここで、ＤＬコンプレストギャップ直前のＨＳ−ＰＤＳＣＨサブフレームは、下りの最新の伝搬環境を反映したＣＱＩに基づいて、伝送レートなどのパラメータが決定されるのに対して、ＤＬコンプレストギャップ直後のＨＳ−ＰＤＳＣＨサブフレームは、下りの最新の伝搬環境を反映したＣＱＩがＤＬコンプレストギャップによって使用不可能となり、ギャップ直前に送信されたＣＱＩが使用される可能性がある。このため、ギャップ直前のＨＳ−ＰＤＳＣＨサブフレームの伝送効率より低下する可能性がある。
【００９２】
よって、ギャップ直後よりギャップ直前のＨＳ−ＰＤＳＣＨサブフレームをできるだけ受信できるように、図１１に示した基準となるコンプレストギャップを２スロット後方へシフトし、調整後のコンプレストギャップを正式なコンプレストギャップとして送受信を行う。
【００９３】
このように実施の形態５によれば、ＤＬコンプレストギャップのタイミングを調整することにより、ＤＬコンプレストギャップによって受信不可能なＨＳ−ＰＤＳＣＨサブフレーム数を最少とすることができ、通信システムスループットの低下を回避することができる。
【００９４】
（実施の形態６）
本発明の実施の形態６に係る無線通信システムの構成は、実施の形態１の図１に示した構成と同様であるので、図１を援用し、重複する説明は省略する。
【００９５】
一般的なＷＣＤＭＡ／ＨＳＤＰＡにおけるコンプレストモードのタイミングチャートを図１３に示す。図１３では、ＤＬ及びＵＬにコンプレストモードを適用するものとする。ただし、コンプレストギャップによって受信不可能なＨＳ−ＰＤＳＣＨのサブフレーム数は、ＤＬコンプレストギャップによって受信不可能なＨＳ−ＰＤＳＣＨのサブフレーム数と、ＨＳ−ＰＤＳＣＨをＤＬで受信可能であり、かつ、ＵＬコンプレストギャップによって対応するＡＣＫ／ＮＡＣＫ信号を送信不可能なＨＳ−ＰＤＳＣＨのサブフレーム数との和とする。
【００９６】
図１３において、ＤＬコンプレストギャップはスロットｉからスロットｋ−２まで設けられ、ＵＬコンプレストギャップはスロットｊからスロットｌ−２まで設けられる。このＤＬコンプレストギャップによって受信不可能なＨＳ−ＰＤＳＣＨサブフレームはフレームｍ〜フレームｏであり、ＵＬコンプレストギャップによって受信不可能なＨＳ−ＰＤＳＣＨサブフレームは、ＨＳ−ＤＰＣＣＨサブフレームのフレームｎ〜フレームｏ−４に対応するＨＳ−ＰＤＳＣＨサブフレームである。
【００９７】
ここで、コンプレストギャップパターン長ＴＧＰＬが６スロットであれば、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。したがって、ＤＬ及びＵＬコンプレストギャップによって受信不可能なＨＳ−ＰＤＳＣＨサブフレーム数は７サブフレーム（＝４＋３）となる。
【００９８】
次に、図１に示したギャップパターン調整部１１２によってギャップパターンを調整したコンプレストモードのタイミングチャートを図１４に示す。図１４では、図１３に示したＤＬ及びＵＬコンプレストギャップを後方へ２スロットシフトした状態を示し、ＤＬコンプレストギャップがスロットｉ＋２からスロットｋまで設けられ、ＵＬコンプレストギャップはスロットｊ＋２からスロットｌまで設けられる。
【００９９】
図１４によれば、ＤＬコンプレストギャップによって受信不可能なＨＳ−ＰＤＳＣＨサブフレームは、フレームｍ＋１〜フレームｏとなる。また、ＵＬコンプレストギャップによって受信不可能なＨＳ−ＰＤＳＣＨサブフレームは、ＨＳ−ＤＰＣＣＨサブフレームのフレームｎ＋１〜フレームｏ−４に対応するＨＳ−ＰＤＳＣＨサブフレームとなる。ここで、コンプレストギャップパターン長ＴＧＰＬが６スロットであれば、ＤＬコンプレストギャップによって受信不可能なＨＳ−ＰＤＳＣＨサブフレーム数は３サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は５サブフレーム（＝３＋２）となる。
【０１００】
この調整によって、ＤＬ及びＵＬコンプレストギャップによって受信不可能なＨＳ−ＰＤＳＣＨサブフレーム数は２サブフレーム少なくなる。
【０１０１】
コンプレストギャップパターン長ＴＧＰＬが６スロットの場合、１スロット後方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は６サブフレーム（＝４＋２）となる。
【０１０２】
また、３スロット後方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。したがって、ＤＬ及びＵＬコンプレストギャップによって受信不可能なＨＳ−ＰＤＳＣＨサブフレーム数は７サブフレーム（＝４＋３）となる。
【０１０３】
また、１スロット前方へシフトしたら、ＤＬコンプレストギャップによって受信不可能なＨＳ−ＰＤＳＣＨサブフレーム数は３サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は５サブフレーム（＝３＋２）となる。
【０１０４】
また、２スロット前方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は２サブフレームとなる。したがって、ＤＬ及びＵＬコンプレストギャップによって受信不可能なＨＳ−ＰＤＳＣＨサブフレーム数は６サブフレーム（＝４＋２）となる。
【０１０５】
さらに、３スロット前方へシフトしたら、ＤＬコンプレストギャップによって受信不可能なＨＳ−ＰＤＳＣＨサブフレーム数は４サブフレームとなり、ＵＬコンプレストギャップによって受信不可能なＨＳ−ＰＤＳＣＨサブフレーム数は３サブフレームとなる。したがって、ＤＬ及びＵＬコンプレストギャップによって受信不可能なＨＳ−ＰＤＳＣＨサブフレーム数は７サブフレーム（＝４＋３）となる。
【０１０６】
ＨＳ−ＰＤＳＣＨ及びＨＳ−ＤＰＣＣＨサブフレームの周期は３スロットであるため、４スロット以上の前後調整の必要はない。
【０１０７】
以上の調整結果によって、ギャップは２スロット前方へシフトした場合と１スロット後方へシフトした場合とでは、ＤＬ及びＵＬコンプレストギャップによって受信不可能なＨＳ−ＰＤＳＣＨサブフレーム数は同じであり、最小値５となる。ここで、ＤＬコンプレストギャップ直前のＨＳ−ＰＤＳＣＨサブフレームは、下りの最新の伝搬環境を反映したＣＱＩに基づいて、伝送レートなどのパラメータが決定されるのに対して、ＤＬコンプレストギャップ直後のＨＳ−ＰＤＳＣＨサブフレームは、下りの最新の伝搬環境を反映したＣＱＩがギャップによって使用不可能となり、ギャップ直前に送信されたＣＱＩが使用される可能性がある。このため、ギャップ直前のＨＳ−ＰＤＳＣＨサブフレームの伝送効率より低下する可能性がある。
【０１０８】
よって、ギャップ直後よりギャップ直前のＨＳ−ＰＤＳＣＨサブフレームをできるだけ受信できるように、図１３に示した基準となるコンプレストギャップを２スロット後方へシフトし、調整後のコンプレストギャップを正式なコンプレストギャップとして送受信を行う。
【０１０９】
このように実施の形態６によれば、ＤＬ及びＵＬにコンプレストモードを適用する場合においても、ＤＬ及びＵＬコンプレストギャップのタイミングを調整することにより、コンプレストギャップによって受信不可能なＨＳ−ＰＤＳＣＨサブフレーム数を最少とすることができ、通信システムスループットの低下を回避することができる。
【０１１０】
なお、上述した実施の形態１及び２は、コンプレストギャップによって受信不可能なＨＳ−ＰＤＳＣＨのサブフレーム数をできるだけ最小化させるように、オリジナルコンプレストギャップを調整する方法であり方法Ａと定義する。また、実施の形態３及び４は、コンプレストギャップ後、携帯端末装置からＨＳ−ＤＰＣＣＨでＣＱＩをできるだけ早く無線アクセスネットワークへ送信するように、オリジナルコンプレストギャップを調整する方法であり方法Ｂと定義する。本発明は、方法Ａのみを使用してもよいし、方法Ｂのみを使用してもよいし、さらに、方法Ａと方法Ｂとを組み合わせて使用してもよい。
【０１１１】
また、上述した各実施形態では、コンプレストギャップパターンが１つのギャップからなる場合について説明したが、本発明はこれに限らず、図１５に示すように、２つのコンプレストギャップからなる場合であってもよい。この場合、方法Ａ及び方法Ｂにおいて、コンプレストギャップによって受信不可能なＨＳ−ＰＤＳＣＨのサブフレーム数は、ＤＬコンプレストギャップによって受信不可能なＨＳ−ＰＤＳＣＨのサブフレーム数と、ＨＳ−ＰＤＳＣＨをＤＬで受信可能であり、かつ、ＵＬコンプレストギャップによって対応するＡＣＫ／ＮＡＣＫ信号を送信不可能なＨＳ−ＰＤＳＣＨのサブフレーム数との和を２つのコンプレストギャップについて合計したものである。
【０１１２】
また、方法Ｂによる調整の前提は、２つのコンプレストギャップについて同時に成立する必要があり、この前提が成立すれば、２つのコンプレストギャップ後のＣＱＩは、いずれも調整前より早くネットワーク側の基地局へ送信することができる。
【０１１３】
また、ギャップパターン調整の際に、２つのコンプレストギャップを同じ方向と同じ調整量で同時に調整するものとする。ちなみに、図１５に示すパターンにおいて、ギャップパターンの調整は、ＴＧＳＮ（Transmission Gap Starting Slot Number）だけが変更可能であり、ＴＧＬ１（Transmission Gap Length 1）、ＴＧＬ２（Transmission Gap Length 2）、ＴＧＤ（Transmission Gap start Distance）、ＴＧＰＬ（Transmission Gap Pattern Length）は不変である。
【産業上の利用可能性】
【０１１４】
本発明にかかる無線アクセスネットワーク及び無線通信方法は、コンプレストギャップパターンのタイミングに基づく通信システムスループットの低下を回避することができ、例えば、ＷＣＤＭＡ移動体通信システム等に適用できる。
【図面の簡単な説明】
【０１１５】
【図１】本発明の実施の形態１〜６に係る無線通信システムの構成を示すブロック図
【図２】一般的なＷＣＤＭＡ／ＨＳＤＰＡにおけるコンプレストモードのタイミングチャート
【図３】図２とは異なる一般的なＷＣＤＭＡ／ＨＳＤＰＡにおけるコンプレストモードのタイミングチャート
【図４】図３に示したＤＬコンプレストギャップを１スロット後方へシフトした状態を示すタイミングチャート
【図５】一般的なＷＣＤＭＡ／ＨＳＤＰＡにおけるコンプレストモードのタイミングチャート
【図６】図５に示したギャップパターンを調整したコンプレストモードのタイミングチャート
【図７】一般的なＷＣＤＭＡ／ＨＳＤＰＡにおけるコンプレストモードのタイミングチャート
【図８】図７に示したＤＬコンプレストギャップを１スロット前方へシフトした状態を示すタイミングチャート
【図９】一般的なＷＣＤＭＡ／ＨＳＤＰＡにおけるコンプレストモードのタイミングチャート
【図１０】図９に示したＤＬコンプレストギャップを１スロット前方へシフトした状態を示すタイミングチャート
【図１１】一般的なＷＣＤＭＡ／ＨＳＤＰＡにおけるコンプレストモードのタイミングチャート
【図１２】図１１に示したＤＬコンプレストギャップを２スロット後方へシフトした状態を示すタイミングチャート
【図１３】一般的なＷＣＤＭＡ／ＨＳＤＰＡにおけるコンプレストモードのタイミングチャート
【図１４】図１３に示したＤＬコンプレストギャップを２スロット後方へシフトした状態を示すタイミングチャート
【図１５】コンプレストギャップパターンが２つのコンプレストギャップからなる場合を示す概念図
【符号の説明】
【０１１６】
１１０  無線アクセスネットワーク
１１１  ギャップパターン設定部
１１２  ギャップパターン調整部
１１３、１２１  ＣＭ制御部
１１４、１２２  送受信処理部
１１５、１２３  アンテナ
１２０  携帯端末装置
【図１】
2007267263.tif 000003
【図２】
2007267263.tif 000004
【図３】
2007267263.tif 000005
【図４】
2007267263.tif 000006
【図５】
2007267263.tif 000007
【図６】
2007267263.tif 000008
【図７】
2007267263.tif 000009
【図８】
2007267263.tif 000010
【図９】
2007267263.tif 000011
【図１０】
2007267263.tif 000012
【図１１】
2007267263.tif 000013
【図１２】
2007267263.tif 000014
【図１３】
2007267263.tif 000015
【図１４】
2007267263.tif 000016
【図１５】
2007267263.tif 000017